(57)【要約】【課題】中栓装着時における内容物の飛散ないし漏出を防止できるとともに、操作性に優れた移行栓付き中栓を備えた容器を提供する。【解決手段】  容器体１の口頸部３へ嵌合させた注出口付き中栓１０と、該中栓へ螺合させた螺筒２２の頂壁２３下面に形成されたシール部２４を前記中栓の注出口１６へ嵌合させた移行栓２０と、該移行栓へ回動不能かつ抜出し不能に嵌合させた外キャップ３０とを備え、該外キャップの所定方向への回動で、前記移行栓２０が前記外キャップ３０とともに中栓１０から離脱可能に設けた。【選択図】  図１
2011046430.tif 000002
【特許請求の範囲】
【請求項１】
容器体(１)の口頸部(３)へ嵌合させた注出口付き中栓(１０)と、
該中栓へ螺合させた螺筒(２２)の頂壁(２３)下面に形成されたシール部(２４)を前記中栓の注出口(１６)へ嵌合させた移行栓(２０)と、
該移行栓へ回動不能かつ抜出し不能に嵌合させた外キャップ(３０)とを備え、
該外キャップの所定方向への回動で、前記移行栓(２０)が前記外キャップ(３０)とともに中栓(１０)から離脱可能に設けた
ことを特徴とする移行栓付き中栓を備えた容器。
【請求項２】
前記移行栓(２０)を螺合させた前記中栓(１０)を前記容器体口頸部へ打栓により嵌合可能に設け、前記打栓後に外キャップが前記移行栓に嵌合され、
前記外キャップの一方向への回動で前記移行栓(２０)が上昇し前記シール部(２４)が前記注出口(１６)から離脱し、かつ前記外キャップの他方向への回動で前記シール部(２４)が前記注出口(１６)へ嵌合可能に設けたことを特徴とする請求項１記載の移行栓付き中栓を備えた容器。
【請求項３】
前記外キャップ(３０)は、前記螺筒(２２)外面へ回動不能かつ抜出し不能に嵌合させた嵌合筒(３１)上端から外方に延設された鍔状部(３３)を介して把持筒(３４)を垂下して、該把持筒下部を前記容器体外面へ回動自在に嵌合させたことを特徴とする請求項１又は２記載の移行栓付き中栓を備えた容器。
【請求項４】
前記中栓(１０)は、前記容器体口頸部の上部外面へ抜出し不能に嵌合させた周壁(１１)上端から第１内向きフランジ(１２)を介して雄ネジ筒部(１３)を起立し、さらに該雄ネジ筒部から第２内向きフランジ(１４)を介して注出筒部(１５)を起立して、該注出筒部上端を注出口(１６)に形成したことを特徴とする請求項１ないし３のいずれか１項記載の移行栓付き中栓を備えた容器。
【請求項５】
前記移行栓(２０)は、前記螺筒(２２)下部を雌ネジ筒部(２１)に形成して、該雌ネジ筒部を前記中栓の雄ネジ筒部(１３)へ螺合させると共に、該螺筒(２２)下端を前記中栓の第１内向きフランジ(１２)上面へ載置させたことを特徴とする請求項４記載の移行栓付き中栓を備えた容器。
【発明の詳細な説明】
【技術分野】
【０００１】
本発明は、移行栓付き中栓を備えた容器に関する。
【背景技術】
【０００２】
一般的に容器の口部に中栓が装着され、当該中栓の注出口を閉塞するように前記口部にキャップが装着される構成が知られている(特許文献１)。そして、容器内部に内容物を充填した後に、前記口部に中栓を打栓によって装着し、さらにキャップを前記口部に螺着することで、内容物入り容器として流通、販売に供される。
【先行技術文献】
【特許文献】
【０００３】
【特許文献１】特開２００８−８７８１３号公報
【発明の概要】
【発明が解決しようとする課題】
【０００４】
しかしながら、上記した従来の中栓およびキャップによれば、中栓の打栓時に前記注出口が開放された状態であるため、容器体内へ充填された液体が飛び跳ねて前記注出口から飛び出る場合があった。また、上記問題を解決するために、注出口に内キャップを装着した場合には、使用の際に２つのキャップを開放する必要が生じてしまい、操作が煩雑となる問題があった。
【０００５】
本発明は、上記課題を解決するためになされたもので、中栓装着時における内容物の飛散(漏出)を防止できるとともに、操作性に優れた移行栓付き中栓を備えた容器を提供することを目的とする。
【課題を解決するための手段】
【０００６】
上記課題を解決するために、本発明は、容器体１の口頸部３へ嵌合させた注出口付き中栓１０と、
該中栓へ螺合させた螺筒２２の頂壁２３下面に形成されたシール部２４を前記中栓の注出口１６へ嵌合させた移行栓２０と、
該移行栓へ回動不能かつ抜出し不能に嵌合させた外キャップ３０とを備え、
該外キャップの所定方向への回動で、前記移行栓２０が前記外キャップ３０とともに中栓１０から離脱可能に設けたことを特徴とする。
【０００７】
また、本発明は、前記移行栓２０を螺合させた前記中栓１０を前記容器体口頸部へ打栓により嵌合可能に設け、前記打栓後に外キャップが前記移行栓に嵌合され、
前記外キャップの一方向への回動で前記移行栓２０が上昇し前記シール部２４が前記注出口１６から離脱し、かつ前記外キャップの他方向への回動で前記シール部２４が前記注出口１６へ嵌合可能に設けたことを特徴とする。
【０００８】
さらに、本発明は前記外キャップ３０は、前記螺筒２２外面へ回動不能かつ抜出し不能に嵌合させた嵌合筒３１上端から外方に延設された鍔状部３３を介して把持筒３４を垂下して、該把持筒下部を前記容器体外面へ回動自在に嵌合させたことを特徴とする。
【０００９】
さらに、本発明は、前記中栓１０は、前記容器体口頸部の上部外面へ抜出し不能に嵌合させた周壁１１上端から第１内向きフランジ１２を介して雄ネジ筒部１３を起立し、さらに該雄ネジ筒部から第２内向きフランジ１４を介して注出筒部１５を起立して、該注出筒部上端を注出口１６に形成したことを特徴とする。
【００１０】
さらに、本発明は、前記移行栓２０は、前記螺筒２２下部を雌ネジ筒部２１に形成して、該雌ネジ筒部を前記中栓の雄ネジ筒部１３へ螺合させると共に、該螺筒２２下端を前記中栓の第１内向きフランジ１２上面へ載置させたことを特徴とする。
【発明の効果】
【００１１】
本発明は、中栓の打栓時においても当該中栓の注出口が閉塞されており、また、外キャップの回動という従来と同様の操作によって、前記注出口が開閉されるため、中栓装着時における内容物の飛散(漏出)を防止できるとともに、操作性に優れた移行栓付き中栓を備えた容器を得ることができる。
【００１２】
また、本発明は、シール部２４を有する移行栓へ外キャップ３０を嵌合させ、外キャップの回動で移行栓２０が中栓１０から離脱可能に設けることで、中栓の注出口から移行栓を直接離脱させるため、例えば、容器体口部への中栓打栓後、中栓の注出口へ嵌合された移行栓へ外キャップの一部(以下、突部という)を嵌合させて、当該嵌合力を中栓の注出口に対する移行栓の嵌合力より大に設定することで、外キャップ離脱の際に突部を介して移行栓を上昇させることによりこれを中栓の注出口から離脱させる場合のように、外キャップ突部と移行栓との嵌合力を考慮する必要がなく、独自にシール部による中栓の注出口のシール力を決定することができ、したがってシール不良を招くおそれがない。
【図面の簡単な説明】
【００１３】
【図１】本発明に係る移行栓付き中栓を備えた容器の半断面図である。
【図２】他の実施形態を示す図１相当図である。
【発明を実施するための形態】
【００１４】
以下、本発明の実施の形態について、図面を参照しながら詳細に説明する。
【００１５】
図１において、１は容器体で、胴部２上端から肩部を介して口頸部３を起立し、該口頸部３上部外面に第１係合突条４を、第１係合突条４より下方の口頸部部分外面に環状フランジ５を、かつ胴部２上端部外面に第２係合突条６を、それぞれ周設している。
【００１６】
１０は中栓で、第１係合突条４を介して口頸部３外面へ抜出し不能に嵌合させた周壁１１上端から第１内向きフランジ１２を介して雄ネジ筒部１３を起立し、該雄ネジ筒部１３から第２内向きフランジ１４を介して注出筒部１５を起立して、該注出筒部１５上端を注出口１６に形成させ、さらに第１内向きフランジ１２内周から短筒１７を垂下させて口頸部３内面へ嵌合させている。中栓１０は口頸部３に対する周壁１１と短筒１７との嵌合力によって実質的に口頸部３に対して相対回転不能になっている。
【００１７】
２０は移行栓で、下部を雌ネジ筒部２１に形成して、該雌ネジ筒部２１を中栓の雄ネジ筒部１３へ螺合させて起立する螺筒２２と、該螺筒２２の上面を閉塞する頂壁２３を備え、該頂壁２３の中央部からシール部を構成する円筒状のシール筒２４を垂下して、該シール筒２４を中栓注出口１６内面へ嵌合させている。また雌ネジ筒部２１より上方の螺筒２２部分外面に第３係合突条２５を周設すると共に、螺筒２２と頂壁２３との角部を切除して環状凹部２６に形成し、さらに螺筒２２下端を第１内向きフランジ１２上面へ載置させている。
【００１８】
３０は外キャップで、螺筒２２上部外面へ嵌合筒３１を凹凸の係合手段３２と第３係合突条２５とを介して回動不能かつ抜出し不能に嵌合させると共に、嵌合筒３１上端から径外方向に延設された鍔状部３３を介して把持筒３４を垂下して、該把持筒３４下端部を第２係合突条６へ載置させて容器体１外面へ回動自在に嵌合させ、さらに嵌合筒３１上端内面に周設した環状突部３５を環状凹部２６へ摺動自在に係合させている。凹凸の係合手段３２としては螺筒２２外面と嵌合筒３１内面との一方に突条を、他方に縦溝を、それぞれ周方向に間隔をおいて縦設して、これらを互いに係合させたものが代表的である。
【００１９】
次に本実施形態の作用について説明する。
図１に示す容器を得るには、容器体１に中栓１０を打栓により取り付けること、打栓時に液体等の容器体内容物が中栓１０の注出口１６から飛び出ないようにすること、および不使用時に中栓１０の注出口１６をシール性よく閉塞することが必要である。
【００２０】
容器体１への中栓１０の取付けを打栓により行うと、容器体の振動により容器体内液体が中栓の注出口１６から飛び出る場合があるため、これを防止すべく予め注出口１６を閉塞しておく必要があり、そこで打栓に先立って移行栓２０を図１に示すように中栓１０に取り付けておく。その際、シール筒２４のシール性を良好にするため、シール筒２４の注出口１６への嵌合力を十分なものとする必要がある。
【００２１】
次いで、移行栓２０を取り付けた状態で中栓１０を容器体口頸部へ打栓した後、外キャップ３０を移行栓２０へ打栓等により相対回転不能かつ抜出し不能に嵌合させて最終製品とする。開栓するには、把持筒３４をもって外キャップ３０を一方向へ回動すればよく、すると嵌合筒３１は螺筒２２へ回動不能に嵌合されているため、螺筒２２が上昇してシール筒２４が注出口１６から離脱して移行栓２０が外キャップ３０と共に中栓１０から離脱する。
【００２２】
閉栓するには、移行栓２０の螺筒２２の雌ネジ筒部２１下端を、雄ネジ筒部１３上端へ係合させて外キャップ３０を上記と反対の他方向へ回動すればよく、するとシール筒２４が注出口１６へ水密に嵌合する。なお、移行栓２０の頂壁２３は露出しているから、移行栓の有無が視認可能であり、また該移行栓を透明材あるいは半透明材で成形することにより注出口１６のシールの良否を目視で確認可能である。
【００２３】
図２は第２の実施形態を示すもので、本実施形態では、外キャップ４０は、嵌合筒３１上面を天面４１で閉塞して、該天面４１を移行栓頂壁２３へ載置させており、この点で第１実施形態と相違する。その他の構成は第１実施形態と同一であるから、同一符号を付して説明を省略する。
【００２４】
なお、いずれの実施形態においても、移行栓２０と外キャップ３０とは別部材で構成されているため、加飾等目的に応じて材質や色彩を互いに異ならせることが可能である。
【００２５】
また、上記では移行栓２０と中栓１０とは雄ネジ筒部１３と雌ネジ筒部２１とを介して螺合されているが、雄ネジ筒部１３のネジ部を周方向への第１突条に、また雌ネジ筒部２１のネジ部を周方向への第２突条に、それぞれ変更して、これら第１、第２突条を互いに係合させることも可能であり、この場合には開栓は外キャップ３０を介して移行栓２０を上昇させ、第２突条による第１突条の強制乗越えによって行う。
【産業上の利用可能性】
【００２６】
本発明は、外キャップの回動で、移行栓が外キャップとともに中栓から離脱することにより開栓可能な容器の分野に利用することができる。
【符号の説明】
【００２７】
１  容器体
３  口頸部
１０  中栓
１１  周壁
１２  第１内向きフランジ
１３  雄ネジ筒部
１４  第２内向きフランジ
１５  注出筒部
１６  注出口
２０  移行栓
２１  雌ネジ筒部
２２  螺筒
２３  頂壁
２４  シール筒(シール部)
３０  外キャップ
３１  嵌合筒
３３  鍔状部
３４  把持筒
４０  外キャップ
４１  天面
【図１】
2011046430.tif 000003
【図２】
2011046430.tif 000004